(57)【要約】      （修正有）【課題】背板を有さない整理棚を本棚等としても使用することを可能とする整理棚補助具を提供する。【解決手段】整理棚の背面に設置する補助具であって、平板形状の背面板２と、背面板２の長手方向両端部に固設された２の固定板３と、固定板３を整理棚７のフレーム７１に着設する取付部材と、から成る。取付部材は雄螺子及び受け螺子より成り、受け螺子は内部に雌螺子が形成されており、固定板３には雄螺子及び受け螺子を挿入する孔３１が配設されている。取付けに際しては、背面板２を整理棚７の背面に配置し、整理棚７のフレーム７１に配設された穴７３と固定板３に配設された孔３１に雄螺子を通し、固定板３に配設された孔３１に挿入された雌螺子で雄螺子を固定する。【選択図】図１
0003211783.tif 000002
【実用新案登録請求の範囲】
【請求項１】
整理棚の背面に設置する補助具であって、
平板形状の背面板と、
前記背面板の長手方向両端部に固設された２の固定板と、
前記固定板を前記整理棚のフレームに着設する取付部材と、
から成ることを特徴とする整理棚補助具。
【請求項２】
前記取付部材は雄螺子及び受け螺子より成り、
前記受け螺子は内部に雌螺子が形成されており、
前記固定板には前記雄螺子及び前記受け螺子用の孔が配設されている、
ことを特徴とする請求項１記載の整理棚補助具。
【請求項３】
前記取付部材はボルト及びナットより成り、
前記固定板には前記ボルト用の孔が配設されている、
ことを特徴とする請求項１記載の整理棚補助具。
【考案の詳細な説明】
【技術分野】
【０００１】
本考案は、整理棚の背面に設置する補助具に関する。
【背景技術】
【０００２】
事務用又は家庭用に、数段の棚板とフレームによって構成される木製又はスチール製の組立型整理棚が市販されている。
【０００３】
前述の組立型整理棚は、フレームに多数の穴が配設され、該穴を通る螺子やビスによって棚を固定することで、任意の高さに任意の数の棚を設置できる構成になっている。
【考案の概要】
【考案が解決しようとする課題】
【０００４】
市販の整理棚のほとんどは、棚板とフレームのみの構成のため、棚の背面を壁等に密着して配置しない限り、本や雑誌を置くことが難しい。このため、物置棚としての利用に限定され、本等の収納に際しては別途、専用の本棚、又は背面が防護補助されている棚を購入する必要があった。
【０００５】
前述の理由により、売手側においては整理棚の販売数量が限定され、購買側は整理棚に余裕があるにもかかわらず、本棚等の購入のため、余分の出費を強いられ、屋内スペースの効率利用ができずにいた。
【０００６】
上述の問題を踏まえ、本考案においては、背板を有さない整理棚を本棚等としても使用することを可能とする整理棚補助具を提供することを課題とする。
【課題を解決するための手段】
【０００７】
上記課題を解決するために、請求項１記載の整理棚補助具は、整理棚の背面に設置する補助具あって、平板形状の背面板と、前記背面板の長手方向両端部に固設された２の固定板と、前記固定板を前記整理棚のフレームに着設する取付部材と、
から成ることを特徴とする。
【０００８】
請求項２記載の取付部材は雄螺子及び受け螺子より成り、前記受け螺子は内部に雌螺子が形成されており、前記固定板には前記雄螺子及び前記受け螺子用の孔が配設されている。
【０００９】
請求項３記載の取付部材はボルト及びナットより成り、前記固定板には前記ボルト用の孔が配設されている。
【００１０】
取付けに際しては、前記背面板を前記整理棚の背面に配置し、前記整理棚のフレームに配設された穴と前記固定板に配設された孔に前記雄螺子を通し、前記固定板に配設された孔に挿入された前記受け螺子で前記雄螺子を固定する。
【考案の効果】
【００１１】
本考案に係る整理棚補助具を使用することにより、別途、本棚等を購入することなく、整理棚を本棚等として利用することができる。
【００１２】
本考案に係る整理棚補助具が普及することにより、売手側においては販売数量の増加が期待でき、購買側は費用の削減と、屋内スペースの効率利用が可能となる。
【図面の簡単な説明】
【００１３】
【図１】本実施形態の整理棚補助具を設置した整理棚を背面から見た斜視図である。
【図２】本実施形態の整理棚補助具の写真である。
【図３】本実施形態の整理棚補助具の取付方法を示す斜視図である。
【図４】取付部材としてボルト・ナットを使用した実施例を示す斜視図である。
【考案を実施するための形態】
【００１４】
以下、本実施形態の整理棚補助具（以後、単に「本補助具」という。）について、図を用いて説明する。本補助具１は、請求項２に記載の補助具であって、設置の対象は、フレームに多数の螺子穴を有する組立式の整理棚を想定している。
【００１５】
まず、本補助具の構成ついて説明する。
本補助具１は図２に示すように薄厚の背面板２と背面板２の長手方向両端部に各々固設されたブロック状の固定板３より成り、固設板３には雄螺子４及び受け螺子５（図３）を挿入するための孔３１が固定板１個につき４個ずつ形成されている。
【００１６】
本補助具は、既に販売されている又は販売予定の特定の整理棚のオプションとして供給することを予定しているため、背面板２の長手方向の長さは、あらかじめ設置対象の整理棚の横幅に合わせて設定される。短手方向の長さは任意であるが、固定板３に形成される螺子挿入孔３１の間隔は、設置対象のフレームの螺子穴の間隔に適合したものとなっている。
【００１７】
次に、本補助具の設置方法について説明する。
図１に示すように、本補助具１を整理棚７の背面に配置し、整理棚７のフレーム７１に形成された螺子穴７３に取付部材を通して固定する。
【００１８】
図３は、本補助具１の具体的な固定方法を示す。本実施形態においては取付部材として雄螺子４及び、受け螺子５を使用する。受け螺子５の長手方向中央部には雄螺子４と同径の雌螺子が形成されている。一方、図中の点線で示すように、固定板３の螺子挿入孔３１は、雄螺子用の孔と受け螺子用の孔が、固定板３の内部で直交する形で形成されている。挿入孔３１に互いに９０度の角度で挿入された雄螺子４と雌螺子５が、前記直交部分において螺合することにより、固定板３が整理棚のフレームに固定される。
【００１９】
以上、本実施形態においては、前述したように、既に販売されている又は販売予定の整理棚のオプション供給としての実施例を示したが、本考案は、本考案の原理の範囲内で、本願の実用新案登録請求の範囲で使用されている言葉を広く一般的な意味にまで広げて実施することが可能である。特に、請求項１においては、フレームに螺子穴を有する組立式の整理棚の補助具に限定せず、一般的な整理棚に設置する補助具についての提案を行っている。この場合、取付けに際しては、図４に示したボルト・ナット式やクランプ式（不図示）の取付部材を使用した実施も可能であり、これらの実施も、本考案の技術的範囲に含まれると解する。
【符号の説明】
【００２０】
１    整理棚補助具
２    背面板
３    固定板
３１  螺子挿入孔
４    雄螺子
５    受け螺子（雌螺子）
７    整理棚
７１  フレーム
７２  棚板
７３  螺子穴
８    ボルト
９    ナット
１０  ボルト挿入孔
１１  ナット用座グリ
【図１】
0003211783.tif 000003
【図２】
0003211783.tif 000004
【図３】
0003211783.tif 000005
【図４】
0003211783.tif 000006